【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】  以下の式の化合物またはその薬学的に受容可能な塩の有効量を含む、被験体中の白血球（ＷＢＣ）数を上昇させるための組成物であって、
Ｚ−リンカー−Ｚ’              １）
ここで、Ｚは、環メンバーの３〜８個が窒素原子である９〜３２個の環メンバーを含む環式ポリアミンであり、該窒素原子が少なくとも２つの炭素原子によって互いから分離され、そしてここで、該複素環が、必要に応じて、窒素に加えてさらなるヘテロ原子を含み得、そして／またはさらなる環系に縮合され得；
Ｚ’が、上記Ｚによって規定される通りであるか、あるいは式
−Ｎ（Ｒ）−（ＣＲ2）n−Ｘ
であり、
ここで、各Ｒが、独立してＨあるいは直鎖、分枝鎖または環式のアルキル（１−６Ｃ）であり、ｎが１または２であり、そしてＸが、複素芳香族環を含む芳香族環であるか、またはメルカプタンであり；
「リンカー」が、結合、アルキレン（１−６Ｃ）を表すか、あるいはアリール、縮合アリールを含み得、それぞれが必要に応じて窒素またはイオウ原子を含み、そして各リンカーがケト基および／または酸素原子を含み得、ここで該組成物は投与に適する、組成物。
【請求項２】  ＺおよびＺ’が、共に環式ポリアミンである、請求項１に記載の組成物。
【請求項３】  ＺおよびＺ’が、同一である、請求項１に記載の組成物。
【請求項４】  Ｚが１０〜２４個のメンバーを含み、そして４個の窒素原子を含む、請求項１の組成物。
【請求項５】  ＺおよびＺ’が、共に１，４，８，１１−テトラアゾシクロテトラデカンである、請求項１に記載の組成物。
【請求項６】  前記リンカーが、２つのメチレン部分を付けられた芳香族環を含む、請求項１に記載の組成物。
【請求項７】  前記リンカーが１，４−フェニレン−ビス−メチレンである、請求項６に記載の組成物。
【請求項８】  前記式（１）の化合物が、１，１’−［１，４−フェニレン−ビス−（メチレン）−ビス−１，４，８，１１−テトラアザシクロテトラデカン（ＡＭＤ３１００）である、請求項７に記載の組成物。
【請求項９】  前記式（１）の化合物が、
Ｎ−［１，４，８，１１−テトラアザシクロテトラデカニル−１，４−フェニレンビス（メチレン）］−２−アミノメチル）ピリジン；
７，７’−［１，４−フェニレンビス（メチレン）］ビス−４，７，１０，１７−テトラアザビシクロ−［１３．３．１］ヘプタデカ−１（１７），１３，１５−トリエン；
７，７’−［１，４−フェニレンビス（メチレン）］ビス−３，７，１１，１７−テトラアザビシクロ−［１３．３．１］ヘプタデカ−１（１７），１３，１５−トリエン；
１，１’−［１，３−フェニレンビス（メチレン）］−ビス−１，４，８，１１−テトラ−アザシクロテトラデカン；
１，１’−［１，４−フェニレンビス（メチレン）］−ビス−１，４，８，１１−テトラ−アザシクロテトラデカン；
１，１’−［１，４−フェニレンビス（メチレン）］−ビス−１，４，７，１０−テトラアザシクロテトラデカン；
１，１’−［１，３−フェニレンビス（メチレン）］−ビス−１，４，７，１０−テトラアザシクロテトラデカン；
１１，１１’−（１，２−プロパンジイル）ビス−１，４，８，１１−テトラアザシクロテトラデカン；
Ｎ−［４−（１，４，７−トリアザシクロテトラ−デカン）−１，４−フェニレンビス（メチレン）］−２−（アミノメチル）ピリジン；
Ｎ−［７−（４，７，１０−トリアザビシクロ［１３．３．１］ヘプタデカ−１（１７），１３，１５−トリエン）−１，４−フェニレンビス（メチレン）］−２−（アミノメチル）ピリジン；
Ｎ−［７−（４，７，１０，１７−テトラアザビシクロ［１３．３．１］ヘプタデカ−１（１７），１３，１５−トリエン）−１，４−フェニレンビス（メチレン）］−２−（アミノメチル）ピリジン；または
Ｎ−［４−［４，７，１０，１７−テトラアザビシクロ［１３．３．１］ヘプタデカ−１（１７），１３，１５−トリエン）−１，４−フェニレンビス（メチレン）］−２−（アミノメチル）ピリジン、
である、請求項１に記載の組成物。
【請求項１０】  式（１）がその酸付加塩の形態である、請求項１に記載の組成物。
【請求項１１】  前記酸付加塩が臭化水素酸塩である、請求項１０に記載の組成物。
【請求項１２】  化学療法または放射線療法由来の造血性欠陥、再生不良性貧血、白血病、薬物性貧血を処置するため、または移植の成功を高めるため、または創傷治癒を促進するため、または細菌炎症を回復させるための方法に使用するための医薬の調製のための式
Ｚ−リンカー−Ｚ’              １）
の化合物またはその薬学的に受容可能な塩の使用であって、
ここで、Ｚは、環メンバーの３〜８個が窒素原子である９〜３２個の環メンバーを含む環式ポリアミンであり、該窒素原子が少なくとも２つの炭素原子によって互いから分離され、そしてここで、該複素環が、必要に応じて、窒素に加えてさらなるヘテロ原子を含み得、そして／またはさらなる環系に縮合され得；
Ｚ’が、上記Ｚによって規定される通りであるか、あるいは式
−Ｎ（Ｒ）−（ＣＲ2）n−Ｘ
であり、
ここで、各Ｒが、独立してＨあるいは直鎖、分枝鎖または環式のアルキル（１−６Ｃ）であり、ｎが１または２であり、そしてＸが、複素芳香族環を含む芳香族環であるか、またはメルカプタンであり；
「リンカー」が、結合、アルキレン（１−６Ｃ）を表すか、あるいはアリール、縮合アリールを含み得、それぞれが必要に応じて窒素またはイオウ原子を含み、そして各リンカーがケト基および／または酸素原子を含み得る、使用。
【請求項１３】  ＺおよびＺ’が共に環式ポリアミンである、請求項１２に記載の方法。
【請求項１４】  ＺおよびＺ’が、同一である、請求項１２に記載の使用。
【請求項１５】  Ｚが１０〜２４個のメンバーを含み、そして４個の窒素原子を含む、請求項１２の使用。
【請求項１６】  ＺおよびＺ’が、共に１，４，８，１１−テトラアゾシクロテトラデカンである、請求項１２に記載の使用。
【請求項１７】  前記リンカーが、２つのメチレン部分を付けられた芳香族環を含む、請求項１２に記載の使用。
【請求項１８】  前記リンカーが１，４−フェニレン−ビス−メチレンである、請求項１７に記載の使用。
【請求項１９】  前記式（１）の化合物が、１，１’−［１，４−フェニレン−ビス−（メチレン）−ビス−１，４，８，１１−テトラアザシクロテトラデカン（ＡＭＤ３１００）である、請求項１８に記載の使用。
【請求項２０】  前記式（１）の化合物が、
Ｎ−［１，４，８，１１−テトラアザシクロテトラデカニル−１，４−フェニレンビス（メチレン）］−２−アミノメチル）ピリジン；
７，７’−［１，４−フェニレンビス（メチレン）］ビス−４，７，１０，１７−テトラアザビシクロ−［１３．３．１］ヘプタデカ−１（１７），１３，１５−トリエン；
７，７’−［１，４−フェニレンビス（メチレン）］ビス−３，７，１１，１７−テトラアザビシクロ−［１３．３．１］ヘプタデカ−１（１７），１３，１５−トリエン；
１，１’−［１，３−フェニレンビス（メチレン）］−ビス−１，４，８，１１−テトラ−アザシクロテトラデカン；
１，１’−［１，４−フェニレンビス（メチレン）］−ビス−１，４，８，１１−テトラ−アザシクロテトラデカン；
１，１’−［１，４−フェニレンビス（メチレン）］−ビス−１，４，７，１０−テトラアザシクロテトラデカン；
１，１’−［１，３−フェニレンビス（メチレン）］−ビス−１，４，７，１０−テトラアザシクロテトラデカン；
１１，１１’−（１，２−プロパンジイル）ビス−１，４，８，１１−テトラアザシクロテトラデカン；
Ｎ−［４−（１，４，７−トリアザシクロテトラ−デカン）−１，４−フェニレンビス（メチレン）］−２−（アミノメチル）ピリジン；
Ｎ−［７−（４，７，１０−トリアザビシクロ［１３．３．１］ヘプタデカ−１（１７），１３，１５−トリエン）−１，４−フェニレンビス（メチレン）］−２−（アミノメチル）ピリジン；
Ｎ−［７−（４，７，１０，１７−テトラアザビシクロ［１３．３．１］ヘプタデカ−１（１７），１３，１５−トリエン）−１，４−フェニレンビス（メチレン）］−２−（アミノメチル）ピリジン；または
Ｎ−［４−［４，７，１０，１７−テトラアザビシクロ［１３．３．１］ヘプタデカ−１（１７），１３，１５−トリエン）−１，４−フェニレンビス（メチレン）］−２−（アミノメチル）ピリジン、
である、請求項１２に記載の使用。
【請求項２１】  式（１）がその酸付加塩の形態である、請求項１２に記載の使用。
【請求項２２】  前記酸付加塩が臭化水素酸塩である、請求項２１に記載の使用。
【請求項２３】  動物被験体の白血球（ＷＢＣ）の産生を刺激し、これによってＷＢＣ数を上昇させるための組成物であって、該組成物が、
以下の式
Ｚ−リンカー−Ｚ’              １）
の化合物またはその薬学的に受容可能な塩の有効量を含み、
ここで、Ｚは、環メンバーの３〜８個が窒素原子である９〜３２個の環メンバーを含む環式ポリアミンであり、該窒素原子が少なくとも２つの炭素原子によって互いから分離され、そしてここで、該複素環が、必要に応じて、窒素に加えてさらなるヘテロ原子を含み得、そして／またはさらなる環系に縮合され得；
Ｚ’が、上記Ｚによって規定される通りであるか、あるいは式
−Ｎ（Ｒ）−（ＣＲ2）n−Ｘ
であり、
ここで、各Ｒが、独立してＨあるいは直鎖、分枝鎖または環式のアルキル（１−６Ｃ）であり、ｎが１または２であり、そしてＸが、複素芳香族環を含む芳香族環であるか、またはメルカプタンであり；
「リンカー」が、結合、アルキレン（１−６Ｃ）を表すか、あるいはアリール、縮合アリールを含み得、それぞれが必要に応じて窒素またはイオウ原子を含み、そして各リンカーがケト基および／または酸素原子を含み得る、組成物。